(57)【要約】【課題】  放熱性能が優れた照明装置を提供する。【解決手段】  ＬＥＤライトを用いた照明装置である。シェル３は、ＬＥＤライトにより生じる熱を空気の対流で放熱するための放熱対流穴３０、内側に形成される二つの設置溝３１、および外側に形成される二つの結合溝３２を有する一つ以上のシェル素子３ａで構成される。基板４は、ＬＥＤライトが設けられ、シェル素子３ａの設置溝３１の中に設置されるとともにＬＥＤライトにより生じる熱を吸収する熱伝導性塗料４１が塗布されている。ランプカバー５は、シェル３の結合溝３２と結合可能な結合部が両側に設けられ、透光性を有する。【選択図】  図５
2013105574.tif 000002
【特許請求の範囲】
【請求項１】
ＬＥＤライトを用いた照明装置であって、
前記ＬＥＤライトにより生じる熱を空気の対流で放熱するための放熱対流穴、内側に形成される二つの設置溝、および外側に形成される二つの結合溝を有する一つ以上のシェル素子で構成されるシェルと、
前記ＬＥＤライトが設けられ、前記シェル素子の前記設置溝の中に設置されるとともに前記ＬＥＤライトにより生じる熱を吸収する熱伝導性塗料が塗布されている基板と、
前述したシェルの前記結合溝と結合可能な結合部が両側に設けられ、透光性を有するランプカバーと、を備える照明装置。
【請求項２】
前記シェルは、プラスチックまたは金属材料によって作られることを特徴とする請求項第１項に記載の照明装置。
【請求項３】
前記シェルは、単一のシェルによって作られることを特徴とする請求項１に記載の照明装置。
【請求項４】
前記シェルは、複数の前記シェル素子で構成されることを特徴とする請求項１に記載の照明装置。
【請求項５】
前記シェルは、複数の前記シェル素子で構成される場合、一つ一つの前記シェル素子と前記ランプカバーとを組合せ、粘着材料で粘着し、複数個の前記シェル素子で前記単一のシェルを構成することを特徴とする請求項４に記載の照明装置。
【請求項６】
前記シェルには、前記放熱対流穴を複数有することを特徴とする請求項１に記載の照明装置。
【請求項７】
前記基板には、気孔が形成されることを特徴とする請求項１に記載の照明装置。
【請求項８】
ＬＥＤライトを用いた照明装置であって、
前記ＬＥＤライトにより生じる熱を空気の対流で放熱するための放熱対流穴、内側に形成される二つの設置溝、および外側に形成される二つの結合溝を有する一つ以上のシェル素子で構成されるシェルと、
前記シェル素子の前記設置溝の中に設置され、前記ＬＥＤライトを設置可能な基板と、
前述したシェルの前記結合溝と結合可能な結合部が両側に設けられ、透光性を有するランプカバーと、を備える照明装置。
【請求項９】
前記シェルは単一のシェルにより構成されることを特徴とする請求項８に記載の照明装置。
【請求項１０】
前記シェルは複数の前記シェル素子で構成されることを特徴とする請求項８に記載の照明装置。
【請求項１１】
前記シェルは、複数の前記シェル素子で構成される場合、一つ一つのシェル素子と前記ランプカバーとを組合せ、粘着材料で粘着し、複数の前記シェル素子で前記単一のシェルを構成することを特徴とする請求項１０に記載の照明装置。
【請求項１２】
前記シェルに、前記放熱対流穴を複数有することを特徴とする請求項８に記載の照明装置。
【請求項１３】
前記基板には、気孔が形成されることを特徴とする請求項８に記載の照明装置。
【発明の詳細な説明】
【技術分野】
【０００１】
本発明は照明装置に関する。
【背景技術】
【０００２】
従来のＬＥＤライトの一例として、図１および２に示すように、シェル１０、基板１１、およびランプカバー１２を備える。その中のシェルは、アルミ押出一体成形によって作られ、ランプカバーは通常プラスチック押出一体成形によって作られる。
【０００３】
また、従来のＬＥＤライトの一例として、図３および４に示すように、シェル２０、基板２１、およびランプカバー２２を備える。その中のシェル２０とランプカバー２２は、プラスチック押出一体成形によって違う色と外観に作られる。  さらに、特許文献１に記載のＬＥＤライトが公知である。
【先行技術文献】
【特許文献】
【０００４】
【特許文献１】特開２０１１−１２０８８３号公報
【発明の概要】
【発明が解決しようとする課題】
【０００５】
ところが、図１および２に記載の従来のＬＥＤライトの場合、基板に複数個のＬＥＤライトを設置することにより、温度が高くなる。しかしながら、基板２１の表面に塗布した熱伝導性ゴムのみを通して、熱をシェル２０へ伝導し、シェル２０により放熱するので、放熱効率が低い。よって、ＬＥＤライトにより生じる熱を適時に放出することができないため、ＬＥＤライトは、常に高温環境下に置かれ、オーバーヒートにより故障するおそれがある。
【０００６】
また、図３および４に記載の従来のＬＥＤライトの場合、基板２１は密閉されたシェル２０とランプカバー２２との間に設置され、ＬＥＤライトにより生じる熱は、シェルのみに吸收放熱される。よって、放熱効率がより低くなり、ＬＥＤライトにより生じる高温を適時に放出することができないため、オーバーヒートによるＬＥＤライトの故障、ＬＥＤライトの寿命短縮等の問題が生じる。
【０００７】
本発明の目的は、放熱性能が優れた照明装置を提供することにある。
【課題を解決するための手段】
【０００８】
本発明では、シェルは、プラスチック材料または金属材料によって作られ、一つ以上のシェル素子で構成される。
【０００９】
また、シェルは複数個のシェル素子で構成され、各シェル素子は複数の放熱対流穴を有する。これにより、空気の対流放熱効果を生じさせる。
【００１０】
基板の表面には熱伝導性塗料が塗布される。熱伝導性塗料により、ＬＥＤライトにより生じる熱を吸収し、輻射放熱効果をえる。
【００１１】
本発明では、シェルの放熱対流穴により、空気の対流放熱効果を得る。また、基板に設置される熱伝導性塗料により、輻射放熱効果を得る。本発明では同時に二種以上の放熱方法を提供するので、ＬＥＤライトにより生じる熱は、効率よく拡散され、ＬＥＤライトのオーバーヒートを抑制し、ＬＥＤライトの使用寿命を延ばすことができる。
【図面の簡単な説明】
【００１２】
【図１】従来のＬＥＤライトの側面図である。
【図２】図１のＡ−Ａ断面図である。
【図３】従来のＬＥＤライトの側面図である。
【図４】図３のＢ−Ｂ断面図である。
【図５】本発明の一実施形態による照明装置の分解斜視図である。
【図６】本発明の一実施形態による照明装置のシェルの断面図である。
【図７】図６のＣ−Ｃ断面図である。
【図８】本発明の一実施形態による照明装置の側面図である。
【図９】図８のＤ−Ｄ断面図である。
【図１０】本発明の一実施形態の第１実施例による照明装置の側面図である。
【図１１】は図１０のＥ−Ｅ断面図である。
【図１２】本発明の一実施形態の第２実施例による照明装置の側面図である。
【図１３】本発明の一実施形態の第３実施例による照明装置の側面図である。
【図１４】本発明の一実施形態の第４実施例による照明装置の側面図である。
【発明を実施するための形態】
【００１３】
本発明の一実施形態を図面に基づいて説明する。
（一実施形態）
第１実施形態を図５−１１に基づいて説明する。
シェル３は、プラスチック材料または金属材料によって作られ、単一シェル（図１４の第４実施例参照）または複数のシェル素子３ａ（図１０、図１２の第１実施例と図１３の第３実施例参照）によって構成される。シェル３は、複数のシェル素子３ａによって構成されるシェル３である場合、一つ一つのシェル素子３ａとランプカバー５とを組み合わせるだけでできる。粘着材料で粘着することにより、複数個のシェル素子３ａによって単一のシェル３を構成する（図５、１０、１２、１３参照）。
【００１４】
シェル３には、複数の放熱対流穴３０（図６と７）を有する。また、ニーズによって放熱対流穴３０の設置密度を変更することができる。シェル３の側辺にある放熱対流穴３０を利用し、常温空気をシェル３と基板４によって形成される空間３３に入れ、シェル３の上方にある放熱対流穴３０を経て、熱エネルギーを空間３３に散布する。これにより、空気の対流することにより放熱する。ＬＥＤライト４０により生じる熱は、空気対流によって、速やかに拡散する。放熱対流穴３０の設置は、図６と７の方法に制限されない。
【００１５】
シェル３の内側には、二つの設置溝３１が設けられている。基板４を設置するために（図１０と１１参照）、二つの設置溝３１は対称となるよう設けられている。ランプカバー５を設置するために（図８と９参照）、シェル３の外側には二つの結合溝３２が設けられている。二つの結合溝３２は対称となるよう設けられている。
【００１６】
基板４は、シェル３の設置溝３１の中に設置される。また、基板４には複数個のＬＥＤライト４０（図１０と１１参照）が設けられる。これにより、ライトの光を提供する。基板の表面には熱伝導性塗料４１が塗布される。ＬＥＤライト４０により熱が生じると、熱は熱伝導性塗料４１に吸收され、輻射することにより拡散する。また、熱は、シェル３の放熱対流穴３０により、外側に拡散する。基板には、複数の気孔４２を有する。ＬＥＤライト４０を点灯することにより生じる熱エネルギーは、基板４とランプカバー５との間の空間４３に拡散する。気孔４２は、基板４とシェル３との間の空間３３中へ熱エネルギーの拡散を加速する。そして、基板４とシェル３との間の空間３３中の熱エネルギーはシェル３の放熱対流穴３０を経て、外部に排出される。これにより、熱の拡散速度が速やかに行われ、ＬＥＤライトのあるべき使用寿命を維持する。
【００１７】
ランプカバー５は、プラスチックにより一体成形によって作られ、両側に結合部５０を設けることによって、前述したシェル３の結合溝３２と結合する（図８−１１参照）。ランプカバー５は、ＬＥＤライト４０の光を透過させる。
【００１８】
組合せ過程において、まずシェル３の各シェル素子３ａとランプカバー５とを組合せてから、基板をシェル３とランプカバー５との間、またシェル３の二つの設置溝３１の中に設置する。最後に、ライトの両側に電気接続素子６０、６１（電気接続素子は先行技術範囲に属し、省略）を設置する。
【００１９】
上述したように、本実施形態では、シェル３に放熱対流穴３０を設置することによって、空気の対流放熱効果を生じる。また、基板４に熱伝導塗料４１を塗布することによって、同時に二種以上の放熱効果を提供し、放熱効率を向上させる。ＬＥＤライト４０がシェル３およびランプカバー５によって構成される空間の熱を速やかに外部に放出するので、ＬＥＤライトの環境温度を速やかに低減し、ＬＥＤライト４０のオーバーヒートを抑制することができる。また、ＬＥＤライトの使用寿命を維持し、排出される二酸化炭素を削減し、省エネ効果を得ることができる。
【符号の説明】
【００２０】
３        ・・・シェル、
４        ・・・基板、
５        ・・・ランプカバー、
３ａ      ・・・シェル素子、
３０      ・・・放熱対流穴、
３１      ・・・設置溝、
３２      ・・・結合溝、
３３      ・・・空間、
４０      ・・・ＬＥＤライト、
４１      ・・・熱伝導性塗料、
４２      ・・・気孔、
４３      ・・・空間、
５０      ・・・結合部、
６０、６１・・・電気接続素子。
【図１】
2013105574.tif 000003
【図２】
2013105574.tif 000004
【図３】
2013105574.tif 000005
【図４】
2013105574.tif 000006
【図５】
2013105574.tif 000007
【図６】
2013105574.tif 000008
【図７】
2013105574.tif 000009
【図８】
2013105574.tif 000010
【図９】
2013105574.tif 000011
【図１０】
2013105574.tif 000012
【図１１】
2013105574.tif 000013
【図１２】
2013105574.tif 000014
【図１３】
2013105574.tif 000015
【図１４】
2013105574.tif 000016